(57)【要約】【課題】立体物に設けられた球面の所定位置に画像を施すことができる遊技機の表示体の絵付方法及び遊技機の表示体を得る。【解決手段】まず、シート状の熱収縮性フィルム６０に図柄（画像）６２が印刷される。次に、この熱収縮性フィルムに印刷された図柄６２の中心位置Ｃ１が回転体（立体物）３４の外周面（球面）における図柄を施す部位の中心位置Ｃ２に当接できるように、熱収縮性フィルム６０が円錐状又は円錐台状に形成される。さらに、図柄６２の中心位置Ｃ１が回転体３４の外周面における図柄を施す部位の中心位置Ｃ２と当接するように、熱収縮性フィルム６０が回転体３４の外周面上に位置決めされる。次いで、熱収縮性フィルム６０が加熱されることで、この熱収縮性フィルム６０が収縮して回転体３４の外周面に密着する。【選択図】        図４
2004188109.tif 000002
【特許請求の範囲】
【請求項１】
遊技機に適用され、球面を有する立体物の前記球面の所定の位置に画像が施された表示体の絵付方法において、
シート状の熱収縮性フィルムに前記画像を印刷し、
前記熱収縮性フィルムに印刷された画像の中心位置が前記球面の所定の位置に当接できるように、前記熱収縮性フィルムを円錐状又は円錐台状に形成し、
前記熱収縮性フィルムの画像の中心位置が前記球面の所定の位置と当接するように、前記熱収縮性フィルムを前記球面上に位置決めし、
前記熱収縮性フィルムを加熱して前記立体物の球面に密着させる、
ことを特徴とする遊技機の表示体の絵付方法。
【請求項２】
前記立体物を真空成形によって製造する、ことを特徴とする請求項１記載の遊技機の表示体の絵付方法。
【請求項３】
前記立体物に対応する型に前記立体物を嵌めた状態で、前記熱収縮性フィルムを前記位置決めすると共に前記加熱する、
ことを特徴とする請求項２記載の遊技機の表示体の絵付方法。
【請求項４】
真空成形によって形成され、球面を有する立体物と、
画像が印刷され、前記球面に熱収縮して密着された熱収縮性フィルムと、
を備えたことを特徴とする遊技機の表示体。
【請求項５】
前記立体物は光透過性の部材で形成され、かつ、前記立体物の内部に光源を備えた、
ことを特徴とする請求項４記載の遊技機の表示体。
【発明の詳細な説明】
【０００１】
【発明の属する技術分野】
本発明は、遊技機の表示体の絵付方法及び遊技機の表示体に関する。
【０００２】
【従来の技術】
パチンコ機やパチスロ機等の遊技機には、抽選時の図柄や各種情報を画像として表示したり、視覚的な演出効果を高める回転式の表示装置が備えられたものがある。この回転式の表示装置には、球面又は円筒面（円筒状の外周面）を有する表示体が設けられている。この表示体の球面又は円筒面には、複数の図柄が画像として施されている。この表示体は、回転可能に表示装置に配設されており、回転停止時に複数の図柄のうち何れか１つを表示する。表示体の回転動作に伴って表示される図柄が変更され、抽選時の図柄や各種情報を表示する際の表示態様を多様化させたり、視覚的な演出効果を高める構成である。
【０００３】
このような表示体に図柄を施すためには、表示体の球面又は円筒面に図柄が直接に印刷される。しかしながら、球面又は円筒面に図柄を直接に印刷するため、表示体に図柄を印刷する工程が複雑でコストが高くなるという欠点があった。
【０００４】
この問題点を解消する技術として、予め画像が印刷された円筒状の熱収縮性フィルムで円筒状の立体物の円筒面を覆い、この熱収縮性フィルムを加熱して立体物の円筒面に密着させる技術がある（特許文献１）。
【０００５】
また、図１１に示すように、複数の円筒状の光透過性の各回転体１０２の外周面１０２Ａに予め数字等の図柄が画像として記録された熱収縮性フィルム１００を巻き付け、熱収縮性フィルム１００を巻き付ける巻付方向の端部同士を接着して加熱し、各回転体１０２の外周面１０２Ａに熱収縮性フィルム１００を密着させてリール１０４とする技術もある。リール１０４では、回転体１０２の内側に光源（図示省略）が備えられており、この光源からの光が回転体１０２を透過して熱収縮性フィルム１００を照らす。これにより、熱収縮性フィルム１００に印刷された図柄を鮮明に表示して、視覚的な演出効果を高めている。
【０００６】
しかしながら、このような熱収縮性フィルムは、平面状、円柱状、円筒状の立体物には密着させ易いが、球面を備えた立体物に密着させる際には、熱収縮性フィルムの部位毎に収縮率が異なるため、球面の所定位置に画像を施すことが困難となっていた。
【０００７】
【特許文献１】
特開平７−３３１４９号公報（第２頁、第１図）
【０００８】
【発明が解決しようとする課題】
本発明は、上記問題点に鑑み、立体物に設けられた球面の所定位置に画像を施すことができる遊技機の表示体の絵付方法及び遊技機の表示体を得ることを目的とする。
【０００９】
【課題を解決するための手段】
請求項１に記載の発明は、遊技機に適用され、球面を有する立体物の前記球面の所定の位置に画像が施された表示体の絵付方法において、シート状の熱収縮性フィルムに前記画像を印刷し、前記熱収縮性フィルムに印刷された画像の中心位置が前記球面の所定の位置に当接できるように、前記熱収縮性フィルムを円錐状又は円錐台状に形成し、前記熱収縮性フィルムの画像の中心位置が前記球面の所定の位置と当接するように、前記熱収縮性フィルムを前記球面上に位置決めし、前記熱収縮性フィルムを加熱して前記立体物の球面に密着させる、ことを特徴とする。
【００１０】
請求項１に記載の発明によれば、まず、シート状の熱収縮性フィルムに画像が印刷される。次に、この熱収縮性フィルムに印刷された画像の中心位置が立体物の球面の所定の位置に当接できるように、熱収縮性フィルムが円錐状又は円錐台状に形成される。
【００１１】
さらに、熱収縮性フィルムの画像の中心位置が立体物の球面の所定位置と当接するように、この熱収縮性フィルムが立体物の球面上に位置決めされる。次いで、熱収縮性フィルムが加熱されることで、この熱収縮性フィルムが収縮して立体物の球面に密着する。
【００１２】
このように、画像が印刷された熱収縮性フィルムを立体物の所定位置に位置決めした後に加熱することで、立体物の所定位置に画像を施すことができる。したがって、立体物の球面に画像を施すような場合であっても、この球面の所定位置に容易に画像を施すことができる。
【００１３】
請求項２に記載の発明は、請求項１に記載の発明において、前記立体物を真空成形によって製造する、ことを特徴とする。
【００１４】
請求項２に記載の発明によれば、表示体に用いられる立体物は、真空成形によって製造される。真空成形では型を用いて容易に所定の形状に成形できるため、所定の形状の立体物を容易に得ることができる。また、このような立体物を用いて表示体を得ていることから、表示体の軽量化を図ることができる。このため、表示体を例えばモータ等の駆動手段によって回転させた場合では、この駆動手段の負荷を軽減することができる。
【００１５】
請求項３に記載の発明は、請求項２に記載の発明において、前記立体物に対応する型に前記立体物を嵌めた状態で、前記熱収縮性フィルムを前記位置決めすると共に前記加熱する、ことを特徴とする。
【００１６】
請求項３に記載の発明によれば、真空成形によって製造された立体物に対応する型に立体物を嵌めた状態で、熱収縮性フィルムが立体物の球面上に位置決めされると共に加熱されてこの立体物の球面に密着する。この型に立体物を嵌めることで、例えば立体物の球面等が凹むことがなくなり、立体物の球面の所定位置と熱収縮性フィルムの画像中心位置とを容易に当接させることができると共に熱収縮性フィルムが加熱により収縮して立体物の球面に密着する際に密着むらが生じることを抑制することができる。
【００１７】
請求項４に記載の発明は、真空成形によって形成され、球面を有する立体物と、画像が印刷され、前記球面に熱収縮して密着された熱収縮性フィルムと、を備えたことを特徴とする。
【００１８】
請求項４に記載の発明によれば、表示体では、予め画像が印刷された熱収縮性フィルムが、立体物の球面に密着している。この立体物は真空成形によって製造されるため、この立体物を備えた表示体の軽量化を図ることができる。このような表示体を例えばモータ等の駆動手段によって回転させた場合では、この駆動手段の負荷を軽減することができる。
【００１９】
請求項５に記載の発明は、請求項４に記載の発明において、前記立体物は光透過性の部材で形成され、かつ、前記立体物の内部に光源を備えた、ことを特徴とする。
【００２０】
請求項５に記載の発明によれば、立体物が光透過性の部材で形成されると共にこの立体物の内部には光源が備えられているため、光源からの光が立体物を透過して熱収縮性フィルムを照らす。これにより、熱収縮性フィルムに印刷された画像をより一層鮮明に表示して、視覚的な演出効果を高めることができる。
【００２１】
【発明の実施の形態】
図１及び図２には、本発明の実施の形態に係るパチンコ機１０が示されている。パチンコ機１０は外枠１２を備えており、この外枠１２の前面には、窓部を有する額縁状の内枠１４の一側部（図１の左辺部）が開閉可能に取付けられている。
【００２２】
この内枠１４の窓部には、遊技盤載置台に載せて交換可能とされた遊技盤１６がこの窓部に対応して設置されている。この遊技盤１６は、装飾画（図示省略）を印刷した樹脂製シート状のセルが基板であるベニヤ板に貼着されており、そのセルの遊技者に面する表面が盤面１８となっている。
【００２３】
盤面１８の外周端部付近には、リブ状の外バンド２０と内バンド２２、レール飾り２４、２５が取り付けられており、これらの外バンド２０及び内バンド２２とレール飾り２４、２５とによって囲まれた領域が、略円形状の遊技領域２６とされている。
【００２４】
遊技領域２６のほぼ中央には、液晶ディスプレイ又はＣＲＴディスプレイを備えたセンター役物２８が配置されている。さらに、このセンター役物２８の右側の下部には、球体表示装置３０が取付けられている。
【００２５】
球体表示装置３０では、センター役物２８における当／外抽選の報知の結果が当りの場合に、付加価値抽選を実行するようになっている。ここで、「付加価値抽選」とは、抽選の結果が当りの場合に、この当りに基づく処理（大当たり処理）後の通常遊技において、次の当りの確率を高くする確率変動、あるいは当／外抽選の結果の報知時間を短縮して、単位時間当たりの抽選回数を増やす時短の抽選をいう。
【００２６】
このような球体表示装置３０には、図３に示されるように、複数の図柄（本実施の形態では４つの図柄）を画像として印刷した表示体３２が備えられている。この表示体３２は、図４（Ｂ）に示されるように、略半球状の回転体３４と、熱収縮性フィルム６０とから構成されている。以下、説明を簡略化するため、複数の図柄のうち所定の図柄６２を例に取り説明する。
【００２７】
図５に示されるように、この回転体３４は真空成形によって製造されたものとされている。また、回転体３４の外周面（球面）３４Ｂの仮想頂点３５と回転体３４の半球切断面となる円形開口３６における仮想中心（円形開口３６を円に見たてた場合におけるこの円の中心）Ｏとを結ぶ軸線Ｌに沿って、回転体３４の円形開口３６側は、回転体３４の外周面３４Ｂから軸線Ｌに沿って仮想頂点３５と反対側に少し延出されて円筒状に形成されている。この回転体３４の円形開口３６側の延出部分を円筒状とすることで成形時の型抜きを可能としている。
【００２８】
この回転体３４の内周面３４Ａ頂部には、筒状の軸部３８が一体的に設けられている。この軸部３８の軸心は、軸線Ｌ上に配置されている。また、軸部３８の先端は円形開口３６の周縁に揃えられており、その先端面には歯車部材４０が固着されている。
【００２９】
歯車部材４０は回転体３４の軸部３８と同径の筒体４２を備え、筒体４２の軸心に沿った方向の一端部には他端側に湾曲した球面状のかさ歯車４４が設けられている。この筒体４２の他端部が軸部３８に接合されることで、歯車部材４０は軸部３８と同軸的（すなわち軸線Ｌ上）に配置されて回転体３４に一体化されている。
【００３０】
回転体３４は、図５に示されるように、歯車部材４０の筒体４２、回転体３４の軸部３８、及び回転体３４の外周面３４Ｂの仮想頂点３５を含んだ頂部３７が支軸４８に挿入されて支軸４８に軸線Ｌ回りに回転可能に支持され、この支軸４８の先端部に形成された周溝５０に平ワッシャ５２を介してＥリング５４が嵌め込まれることにより、この支軸４８から抜け出さないように取付けられている。また、その状態では、歯車部材４０のかさ歯車４４は回転体３４の内側に配置されて、歯車部材４０のかさ歯車４４には図示しないかさ歯車が噛み合っている。さらに支軸４８も、先端部は一部突出するがその先端部を除く基端側全てが回転体３４の内側に配置される。またこれにより、支軸４８は回転体３４の非表示側に配置された円形開口３６を介して回転支持部材４６（図３を参照）に支持される。図示しない駆動手段によって図示しないかさ歯車が回転すると、この回転がかさ歯車４４に伝達されて、さらにこの回転体３４が軸線Ｌ回りに回転する仕組みである。
【００３１】
以上説明したような回転体３４は、光透過性の部材で形成されている。回転体３４の軸部３８の近傍には、光源としてのランプ５６が配設されており、回転体３４の内周面３４Ａ側から図柄６２に光を照射するようになっている。
【００３２】
また、以上説明した回転体３４の外周面３４Ｂは、熱収縮性フィルム６０によって被覆されている。この熱収縮性フィルム６０の周面には、数字等の図柄６２が画像として印刷されている。
【００３３】
すなわち、表示体３２の回転体３４が回転するに伴って熱収縮性フィルム６０に印刷されている図柄も回転体３４と一体的に回転し、遊技者に表示される図柄が変更され、抽選時の図柄や各種情報を表示する際の表示態様を多様化させたり、視覚的な演出効果を高める構成である。
【００３４】
このような表示体３２の図柄表示側となる前面側は、盤面１８に設けられた凸球面状の透明レンズ部３１に覆われている。この表示体３２の図柄６２が表示図柄であるとした場合に、この図柄６２の中心位置Ｃ１と透明レンズ部３１の仮想中心Ｍとを結ぶ軸線Ｖは、球体表示装置３０がパチンコ機１０に搭載された際にパチンコ機１０の前後方向と略平行な向きであって、盤面１８に対して略垂直な向きとなる。また、支軸４８は、その軸心を通る軸線Ｌが軸線Ｖに対し所定角度傾いて軸線Ｖと交差している。
【００３５】
以下、本実施の形態に係るパチンコ機１０の表示体３２の絵付方法及びパチンコ機１０の表示体３２の作用を説明する。
【００３６】
まず、図６に示されるように、複数のシート状の熱収縮性フィルム６０（本実施の形態では４枚のシート状の熱収縮性フィルム６０）を一体に有する熱収縮性フィルムシート６４に図柄６２が画像として印刷される。
【００３７】
次に、この熱収縮性フィルムシート６４に印刷された図柄６２の中心位置Ｃ１（図４（Ａ）を参照）が回転体３４の外周面３４Ｂ上における図柄６２を施す部位（以下、絵付予定部位という。）３９の中心位置Ｃ２（図４（Ａ）を参照）と当接できるように、熱収縮性フィルムシート６４から熱収縮性フィルム６０が、円錐台の展開図状に切り出される（図７（Ａ）を参照）。その後、図柄６２の中心位置Ｃ１が絵付予定部位３９の中心位置Ｃ２に当接できるように、円錐台の展開図状に切り出された熱収縮性フィルム６０が円錐台状に形成される（図７（Ｂ）を参照）。なお、熱収縮性フィルム６０の大きさ、回転体３４の大きさ、図柄の中心位置Ｃ１、絵付予定部位３９の中心位置Ｃ２等を考慮して、熱収縮性フィルム６０が円錐状に形成されてもよい。
【００３８】
さらに、熱収縮性フィルム６０の図柄６２の中心位置Ｃ１と回転体３４の絵付予定部位３９の中心位置Ｃ２とが当接するように、熱収縮性フィルム６０が回転体３４の外周面３４Ｂ上に位置決めされる。ここで、図８及び図９に示されるように、真空成形によって製造された回転体３４に対応する型６５を備えた支持体６６を用いて、支持体６６の型６５に回転体３４の内周面３４Ａを当接させて回転体３４を嵌める。この状態で、図４（Ａ）に示されるように、熱収縮性フィルム６０が位置決めされる。支持体６６の型６５に回転体３４を嵌めることで、例えば回転体３４の外周面３４Ｂ等が凹むことがなくなり、外周面３４Ｂの絵付予定部位３９の中心位置Ｃ２と熱収縮性フィルム６０の図柄６２の中心位置Ｃ１とを容易に当接させることができる。
【００３９】
次いで、図４（Ｂ）に示されるように、熱収縮性フィルム６０が加熱されることで、この熱収縮性フィルム６０が収縮して回転体３４の外周面３４Ｂに密着する。ここで、支持体６６の型６５に回転体３４を嵌めることで、熱収縮性フィルム６０が加熱により収縮して回転体３４の外周面３４Ｂに密着する際に密着むらが生じることを抑制することができる。
【００４０】
回転体３４に熱収縮性フィルム６０が密着した後、この回転体３４から支持体６６の型６５を外すと、図１０に示されるように、表示体３２の絵付が終了する。
【００４１】
このように、図柄６２が画像として印刷された熱収縮性フィルム６０を回転体３４の絵付予定部位３９の中心位置Ｃ２に位置決めした後に加熱することで、回転体３４の絵付予定部位３９の中心位置Ｃ２に図柄６２を施すことができる。したがって、回転体３４の外周面３４Ｂに図柄６２を施すような場合であっても、この外周面３４Ｂの絵付予定部位３９の中心位置Ｃ２に容易に図柄６２を施すことができる。
【００４２】
また、以上説明したような表示体３２に備えられた回転体３４は、真空成形によって製造されている。この回転体３４を製造する際には、真空成形では型を用いて容易に所定の形状に成形できるため、所定の形状の回転体３４を容易に得ることができる。また、このような回転体３４を用いて表示体３２を得ていることから、表示体３２の軽量化を図ることができる。このため、表示体３２を例えばモータ等の駆動手段によって回転させた場合では、この駆動手段の負荷を軽減することができる。
【００４３】
また、このような回転体３４が光透過性の部材で形成されると共にこの回転体３４の内部にはランプ５６が備えられているため、ランプ５６からの光が回転体３４を透過して熱収縮性フィルム６０を照らす。これにより、遊技中では、熱収縮性フィルム６０に印刷された図柄６２をより一層鮮明に表示して、視覚的な演出効果を高めることができる。
【００４４】
なお、本実施の形態では、表示体３２がパチンコ機１０に適用されるものとしたが、本発明はこれに限らない。本発明は、上述の表示体３２をスロットマシーン等の他の遊技機に適用したものとしてもよい。
【００４５】
【発明の効果】
本発明に係る遊技機の表示体の絵付方法によれば、立体物の球面に画像を施すような場合であっても、この球面の所定位置に容易に画像を施すことができる。
【００４６】
また、本発明に係る遊技機の表示体によれば、真空成形によって製造された立体物を備えているため、表示体の軽量化を図ることができる。また、このような表示体を例えばモータ等の駆動手段によって回転させた場合では、この駆動手段の負荷を軽減することができる。
【図面の簡単な説明】
【図１】本発明の実施の形態に係るパチンコ機の斜視図である。
【図２】本発明の実施の形態に係るパチンコ機の正面図である。
【図３】本発明の実施の形態に係る表示装置の概略を示す斜視図である。
【図４】（Ａ）は、熱収縮性フィルムに印刷された図柄の中心位置と回転体の外周面における図柄を施す部位の中心位置との位置決めを行っている際の側面図であり、（Ｂ）は、熱収縮性フィルムを回転体の外周面に密着させた状態を示す側面図である。
【図５】本発明の実施の形態に係る回転体の分解斜視図である。
【図６】本発明の実施の形態に係る熱収縮性フィルムシートの肉厚方向から見た上面図である。
【図７】（Ａ）は、図６における熱収縮性フィルムシートを略半円状（円錐台の展開図状）に切り抜いた図であり、（Ｂ）は、（Ａ）の熱収縮性フィルムを円錐台状に形成した状態を示す斜視図である。
【図８】円錐台状の熱収縮性フィルムを回転体に被せる前の状態を示す斜視図である。
【図９】円錐台状の熱収縮性フィルムを回転体に被せた状態を示す斜視図である。
【図１０】本発明の実施の形態に係る表示体の斜視図である。
【図１１】従来の技術における円筒状の表示体の斜視図である。
【符号の説明】
１０    パチンコ機（遊技機）
３２    表示体
３４    回転体（立体物）
３４Ｂ  外周面（球面）
５６    ランプ（光源）
６０    熱収縮性フィルム
６２    図柄（画像）
６４    熱収縮性フィルムシート（シート状の熱収縮性フィルム）
６５    型
Ｃ１    図柄の中心位置（画像の中心位置）
Ｃ２    図柄を施す部位の中心位置（所定位置）
【図１】
2004188109.tif 000003
【図２】
2004188109.tif 000004
【図３】
2004188109.tif 000005
【図４】
2004188109.tif 000006
【図５】
2004188109.tif 000007
【図６】
2004188109.tif 000008
【図７】
2004188109.tif 000009
【図８】
2004188109.tif 000010
【図９】
2004188109.tif 000011
【図１０】
2004188109.tif 000012
【図１１】
2004188109.tif 000013